(57)【要約】【課題】容易に糸を通すことができ、糸や布を傷めにくく、通した糸が抜け出すのを防ぐ縫い針を提供すること。【解決手段】針頭部寄りの一側面１ａになだらかな隆起部分３を設け、隆起部分３の針頭側において一側面１ａに開口すると共に、針頭部方向へ延びる糸通しスリット２を形成し、糸通しスリット２の開口部両側を滑らかに角取りし、糸通しスリット２の奥端部寄りの両側に、先端が奥端部に向くよう傾斜した糸戻り止め突起５を互い違いに突設してある。【選択図】図１
2010124850.tif 000002
【特許請求の範囲】
【請求項１】
針頭部寄りの一側面になだらかな隆起部分を設け、該隆起部分の針頭部側において前記一側面に開口すると共に、針頭部方向へ延びる糸通しスリットを形成し、該糸通しスリットの開口部両側を滑らかに角取りし、前記糸通しスリットの内部に、先端が奥端部に向くよう傾斜した糸戻り止め突起を突設してあることを特徴とした縫い針。
【請求項２】
前記糸戻り止め突起を前記糸通しスリットの奥端部寄りの両側に互い違いに設けた請求項１に記載の縫い針。
【請求項３】
前記糸通しスリットの奥端をＶ字状にへこませてある請求項１又は２に記載の縫い針。
【請求項４】
前記糸通しスリットの開口部寄りを左右両側に蛇行させ、この蛇行部を挟んで前記一側面寄りの部分を針先方向に向かうほど太くなるよう形成してある請求項１〜３のいずれかに記載の縫い針。
【発明の詳細な説明】
【技術分野】
【０００１】
本発明は、糸通しが容易な縫い針に関する。
【背景技術】
【０００２】
一般的な縫い針は、針体の頭部に糸を通すための針孔を形成してあり、この小さい針孔に糸をその先端から通して用いるので、高齢者や目の不自由な人が糸通しを行なうのは非常に難しかった。
従来、簡単に縫い針へ糸を通すための器具が知られている。例えば、特許文献１には、縫い針の目孔へ挿入可能な挿入部と、弾性変形可能なループ状の糸保持部とを有し、挿入部を予め目孔へ通しておき、糸保持部に糸を通してから、糸保持部を変形させながら目孔から抜き取り、糸を目孔に通す糸通し具が記載されている。
しかし、このように縫い針とは別の器具を用いるのは面倒であり、針孔が小さすぎると器具を通すのも困難であった。
【０００３】
また、糸通し用の器具が不要なものとして、糸通しが容易な針孔を形成した縫い針が提案されている。
特許文献２には、針穴の側面に斜めの切れ目を設け、針穴の上部に、糸を切れ目に誘導するための窪みを設け、糸を側面から切れ目をとおして針穴へ滑り込ませるようにした縫い針が記載されている。
しかし、この縫い針は、窪みと針穴との間が細い揺動片で遮断され、揺動片の先端に切れ目が形成されているので、繰り返し使用すると揺動片が破損しやすく、揺動片が破損すると針穴に通した糸が簡単に脱出してしまう。また、切れ目に布が食い込むと揺動片で傷つく心配があった。
【０００４】
特許文献３には、左右両側に針穴と切欠部を設け、両側面から簡単に糸を挿入できる縫い針が記載されている。
上記縫い針は、切欠部の両側を内側に向けてあるとはいえ、その先端が尖っているので、食い込んだ布を傷つけやすい。また、側面に糸の挿入口となる小さい切欠が形成されているだけなので、手探りでは切欠の位置がわかりにくい。
【０００５】
【特許文献１】特開２０００−２３７４８４号公報
【特許文献２】登録実用新案第３１０８６６３号公報
【特許文献３】特開２００５−１２５０３３号公報
【発明の開示】
【発明が解決しようとする課題】
【０００６】
本発明が解決しようとする課題は、手探りで針頭部に向けて針に沿って糸を滑らせるだけで容易に糸を通すことができ、糸や布を傷めにくく、通した糸が抜け出すのを防ぐ縫い針を提供することにある。
【課題を解決するための手段】
【０００７】
本発明の縫い針は、針頭部寄りの一側面になだらかな隆起部分を形成し、該隆起部分の針頭部側において前記一側面に開口すると共に、針頭部方向へ延びる糸通しスリットを形成し、該糸通しスリットの開口部両側を滑らかに角取りし、前記糸通しスリットの内部に、先端が奥端部に向くよう傾斜した糸戻り止め突起を突設してある。
前記糸戻り止め突起を前記糸通しスリットの奥端部寄りの両側に互い違いに設けると良い。
前記糸通しスリットの奥端をＶ字状にへこませても良い。
前記糸通しスリットの開口部寄りを左右両側に蛇行させ、この蛇行部を挟んで一側面寄りの部分を針先方向に向かうほど太くなるよう形成することがある。
【発明の効果】
【０００８】
請求項１に係る発明によれば、縫い針の側面に沿って針頭に向けて糸を滑らせて糸通しスリットへ通すことができるので、高齢者や目の不自由な人でも手探りで容易に糸通しを行なえる。
また、一側面になだらかな隆起部分を設けて、この隆起部分の針頭部側に糸通しスリットを開口させてあるので、糸を側面に沿って滑らせやすく、糸通しスリットの開口部の位置がわかりやすくい。しかも、一度隆起部分で糸の滑りを止められるので、糸が糸通しスリットの開口部を通過するのを防止できる。
さらに、糸通しスリットの開口部両側を角取りしてあるため、糸をスムーズに糸通しスリット内へ誘導でき、糸や布が糸通しスリットの開口部に引っかかって傷つく心配が無い。また、糸戻り止め突起を設けたので、糸通しスリットの奥まで進入した糸が開口部から抜け出すのを防ぐ。
【０００９】
請求項２に係る発明によれば、糸通しスリットの奥端部寄りが複雑な迷路状となって、糸が抜け出すのを確実に防ぐことが可能となる。
請求項３に係る発明によれば、糸の納まりがよくなって移動しにくい。
請求項４に係る発明によれば、戻し針等の際に、糸通しスリットと一側面との間の部分が布に食い込むのを防ぐことができる。
【発明を実施するための最良の形態】
【００１０】
図１は本発明の実施例１を示す。
本発明の縫い針１は、やや細めであって、その針頭部寄りに糸通しスリット２を形成して成る。
縫い針１の針頭部寄りの一側面１ａにはなだらかな隆起部分３が形成され、他側面１ｂは通常の縫い針と同様に平坦に形成されている。
糸通しスリット２は、糸をスムーズに通過させることはできるが、縫い針１の強度に重大な悪影響を与えることのない幅を有し、隆起部分３の針頭部側に隣接して縫い針１の一側面１ａに開口すると共に、針頭部方向へ延びている。
【００１１】
糸通しスリット２の開口部両側は、滑らかに角取りしたガイド面４となっている。
また、糸通しスリット２の奥端部寄りの両側には、それぞれ先端が奥端に向くよう傾斜した糸戻り止め突起５が互い違いに突設され、各糸戻り止め突起５の基部奥端側にはポケット状の空洞６が形成されている。糸戻り止め突起５の外周は、糸が引っかからないよう滑らかな曲線となっている。
さらに、糸通しスリット２の奥端は、通した糸の納まりが良くなるよう、略Ｖ字状に凹んでいる。
【００１２】
この縫い針１に糸を通すには、その一側面１ａに沿って糸を滑らせ、糸通しスリット２の開口部から奥端まで糸を押込む。この時、縫い針１の一側面１ａには隆起部分３が形成されているので、手探りでも糸通しスリット２の開口部の位置に気が付きやすく、糸はガイド面４に誘導されてスムーズに糸通しスリット２内に進入する。
また、糸通しスリット２の奥端はＶ字状に凹んでいるため、進入した糸はこの凹んだ部分に安定して納まり移動し難いだけでなく、開口部方向へ戻ろうとしても、糸戻り止め突起５に邪魔されて空洞６へ進入してしまい、開口部から脱出することがない。
【００１３】
図２は、本発明の実施例２を示す。
本実施例の縫い針１は、実施例１のものより太く、糸通しスリット２の開口部寄りを左右両側に蛇行させて、略Ｓ字状にカーブした蛇行部７を形成してある。この結果、蛇行部７を挟んで一側面１ａ寄りの部分は、針先方向に向かうほど太くなっている。
このため、糸通しスリット２と一側面１ａとの間の部分は、角取りをした先太形状となり、この部分が布に食い込むのを防ぐことができる。
その他の構成及び使用方法は実施例１と同様なので、同一部分に同一符号を付して、詳細な説明を省略する。
【図面の簡単な説明】
【００１４】
【図１】実施例１を示す縫い針の正面図。
【図２】実施例２を示す縫い針の正面図。
【符号の説明】
【００１５】
１  縫い針
１ａ  一側面
１ｂ  他側面
２  糸通しスリット
３  隆起部分
４  ガイド面
５  糸戻り突起
６  空洞
７  蛇行部
【図１】
2010124850.tif 000003
【図２】
2010124850.tif 000004
【手続補正書】
【提出日】平成21年3月16日(2009.3.16)
【手続補正１】
【補正対象書類名】特許請求の範囲
【補正対象項目名】請求項１
【補正方法】変更
【補正の内容】
【請求項１】
針頭部寄りの一側面になだらかな隆起部分を設け、該隆起部分の針頭部側に隣接して前記一側面に開口すると共に、針頭部方向へ延びる糸通しスリットを形成し、該糸通しスリットの開口部両側を滑らかに角取りし、前記糸通しスリットの内部に、先端が奥端部に向くよう傾斜した糸戻り止め突起を突設してあることを特徴とした縫い針。
【手続補正２】
【補正対象書類名】明細書
【補正対象項目名】０００７
【補正方法】変更
【補正の内容】
【０００７】
本発明の縫い針は、針頭部寄りの一側面になだらかな隆起部分を形成し、該隆起部分の針頭部側に隣接して前記一側面に開口すると共に、針頭部方向へ延びる糸通しスリットを形成し、該糸通しスリットの開口部両側を滑らかに角取りし、前記糸通しスリットの内部に、先端が奥端部に向くよう傾斜した糸戻り止め突起を突設してある。
前記糸戻り止め突起を前記糸通しスリットの奥端部寄りの両側に互い違いに設けると良い。
前記糸通しスリットの奥端をＶ字状にへこませても良い。
前記糸通しスリットの開口部寄りを左右両側に蛇行させ、この蛇行部を挟んで一側面寄りの部分を針先方向に向かうほど太くなるよう形成することがある。